(57)【要約】      （修正有）【課題】組立過程で空間認識力や立体認識力を養うことができ、立体構造物を完成させた後にも、立体構造物のおもしろい転がり方を発見したり、動きを予測したり、その理由を考えたりして知的好奇心を刺激する立体構成物作成キット及び立体構造物を提供する。【解決手段】組み合わせることにより立体構造物を形成する立体構造物作成キットであって、多角形面と多角形面のそれぞれの辺に設けられた折りしろと辺の中央近傍に設けられた切込みとからなるシート状の外側面ユニット１〜３と、切り込みに挿入する挟持部を２本有する結合具４と、結合具を嵌め込むスリットを有し、中心に円形の開口を有し、開口を囲んで面積を同じくする４つの面を備えた内部ユニット５と、開口と略同じ直径であって弾性素材からなる中心球体６と、を有する。【選択図】図１３
0003217705.tif 000002
【実用新案登録請求の範囲】
【請求項１】
組み合わせることにより立体構造物を形成する立体構造物作成キットであって、
多角形面と前記多角形面のそれぞれの辺に設けられた折りしろと前記それぞれの辺の中央近傍に設けられた切込みとからなるシート状の外側面ユニットと、
前記切り込みに挿入する挟持部を２本有する結合具と、
前記結合具を嵌め込むスリットを有し、中心に円形の開口を有し、前記開口を囲んで面積を同じくする４つの面を備えた内部ユニットと、
前記開口と略同じ直径であって弾性素材からなる中心球体と、
を有すること特徴とする立体構造物作成キット。
【請求項２】
前記外側面ユニットは、角を落とした略正四角形の面と前記略正四角形のそれぞれの辺に設けられた折りしろからなる外側四角面ユニットと、
略正六角形の面と前記略正六角形のそれぞれの辺に設けられた折りしろからなる外側角部ユニットと、
略長方形の面と前記略長方形のそれぞれの辺に設けられた折りしろからなる外側辺部ユニットと、
からなることを特徴とする請求項１に記載の立体構造物作成キット。
【請求項３】
三角形面と、前記三角形の面のそれぞれの辺に設けられた折りしろからなり、前記折りしろを裏側に折込んだ状態で前記三角形の辺と隣接する三角形の辺とを隙間なく係止すると全体として球体に近い形状を形成する多数の外側三角面ユニットと、
前記外側三角面ユニット同士を係止する結合具と、
前記外側三角面で囲まれた内部に収納され、互いに垂直な角度で設けられた３つの面を備えた内部ユニットと、
前記内部ユニットに囲まれた中心部に収納される中心球体と、
からなることを特徴とする立体構造物作成キット。
【請求項４】
前記中心球体は、中空球形状であって、開閉式で内部に空間を備えていることを特徴とする請求項１から請求項３に記載の立体構造物作成キット。
【請求項５】
請求項１ないし４のいずれか１項に記載の立体構造物作成キットを使用した立体構造物であって、複数の前記外側面ユニット同士を前記結合具で係止することにより、内部に空間を備えた立体構造物を形成するとともに、前記空間に前記結合具で互いに結合された４つの内部ユニットを備え、前記内部ユニットに囲まれた中心空間に前記中心球体を備えたことを特徴とする立体構造物。
【考案の詳細な説明】
【技術分野】
【０００１】
本考案は、中心部に弾性素材からなる球体を収納した厚手の紙や段ボールなどのシート状部材を用いた組立式構造物およびそれらを構成するシート部材と中心球体のセットに関するものである。
【背景技術】
【０００２】
従来より、段ボールや厚紙等からなるパーツを組み立てて立体構造物を作成する知育玩具が多数考案されている。段ボールや厚紙は、重ねて収納でき軽量コンパクトかつ製造コストも安い。また、取扱いに際し、とくに道具を必要とせず、安全簡便に取扱いできることも魅力である。紙に組立部材を印刷して切り取り線を設けたものを雑誌の中に綴じ込むことで、主に子供用知育雑誌の綴じ込み付録等とすることも多い。それらは、購入者が適時、切り取り線に沿って組立部材を切り離し、各々で立体構造物を組み立てるもの。紙製組立部材を用いて立体構造物を組み立てる過程は、空間認識力及び立体認識力を高めることができるので知育玩具に最適である。さらに、紙素材のパーツからなる知的玩具として、特許文献１のように、係合溝を設けた複数の紙製パーツを組み合わせることによって様々な立体構造物を作成可能な紙製組立部材と組立玩具も考案されている。
【先行技術文献】
【特許文献】
【０００３】
【特許文献１】特開２０１０−２４０３１０
【考案の概要】
【考案が解決しようとする課題】
【０００４】
紙製組立部材を組み立てていくことによって、所定の又は任意の立体構造物を組み立てる従来技術は、組み立てる過程での空間認識力や立体認識力の向上を促し、完成した際に、使用者に達成感を与える。この達成感獲得は、知育玩具に大切な要素である。
【０００５】
しかし、知育玩具の要素は、それだけではない。知育玩具に大切な、もう１つの要素として、知的好奇心を刺激するという要素がある。上記に挙げた従来技術は、組立部材の素材が紙のみであるため、完成した立体構造物は、耐久性に欠け、また、立体構造物の使用用途は限定される。立体構造物を動かすことによる発見や効果もない。そのため、立体構造物を完成させた後は、使用者の興味は終わってしまい、完成した立体構造物は部屋に飾る程度、積極的に活用されないことが多かった。
【０００６】
そこで、この考案の目的は、軽量でコンパクトな紙製の組立ユニットからなる立体構造物と、立体構造物の内部に入れる内部構造及び内部構造の中心部に収納する中心球体からなる立体構造物を提供する。組立過程では空間認識力や立体認識力を養うことができるとともに、立体構造物を完成させた後にも、立体構造物のおもしろい転がり方を発見したり、動きを予測したり、その理由を考えたりして知的好奇心を刺激する。知育効果が高く、作成過程だけでなく、完成後も引き続き楽しめる、さまざまな遊びに使える立体構成物作成キット及び立体構造物である。
【課題を解決するための手段】
【０００７】
この考案の立体構造物作成キットは、多角形面と前記多角形面のそれぞれの辺に設けられた折りしろと前記それぞれの辺の中央近傍に設けられた切込みとからなるシート状の外側面ユニットと、前記切り込みに挿入する挟持部を２本有する結合具と、前記結合具を嵌め込むスリットを有し、中心に円形の開口を有し、前記開口を囲んで面積を同じくする４つの面を備えた内部ユニットと、前記開口と略同じ直径であって弾性素材からなる中心球体と、を有すること特徴とする。
【０００８】
この考案によれば、紙製外側面ユニットを組み合わせ、互いに結合具で係止し、立体構造物を作成する過程で空間認識力や立体認識力を養うとともに、立体構造物の内部空間に紙製内部ユニットと弾性中心球体が設けられていることによって、完成した立体構造物は、転がしたり、上から押さえたり、地面に落として弾ませると、おもしろい動きをするので、知的好奇心を刺激され、動きの理由を考える過程で探究心をめばえさせることができる。
【０００９】
また、この考案の立体構造物作成キットの外側面ユニットは、角を落とした略正四角形の面と前記略正四角形のそれぞれの辺に設けられた折りしろからなる外側四角面ユニットと、略正六角形の面と前記略正六角形のそれぞれの辺に設けられた折りしろからなる外側角部ユニットと、略長方形の面と前記略長方形のそれぞれの辺に設けられた折りしろからなる外側辺部ユニットからなることを特徴とする。
【００１０】
この考案によれば、紙製外側面ユニットを組み合わせ、互いに結合具で係止し、立体構造物を作成する過程で空間認識力や立体認識力を養うとともに、立体構造物の内部空間に紙製内部ユニットと弾性中心球体が設けられていることによって、完成した立体構造物は、転がしたり、上から押さえたり、地面に落として弾ませると、おもしろい動きをするので、知的好奇心を刺激され、動きの理由を考える過程で探究心をめばえさせることができる。また、サイコロ形状に似た形状の立体構造物ができあがるので、立体構造物の各面に数字や文字を記載してサイコロのように転がして遊ぶ際、動きや転がり方が予測できないので、娯楽性の高い遊びを提供することができる。さらに、寸法の大きなもので作成すると、上に座ったりもでき、内部にある弾性中心球体が程よい弾力性を担保するため、どの面を上にして腰かけても、快適な座り心地を提供することができる。
【００１１】
また、この考案の立体構造物作成キットは、三角形面と、前記三角形の面のそれぞれの辺に設けられた折りしろからなり、前記折りしろを裏側に折込んだ状態で前記三角形の辺と隣接する三角形の辺とを隙間なく係止すると全体として球体に近い形状を形成する多数の外側三角面ユニットと、前記外側三角面ユニット同士を係止する結合具と、前記外側三角面で囲まれた内部に収納され、互いに垂直な角度で設けられた３つの面を備えた内部ユニットと、前記内部ユニットに囲まれた中心部に収納される中心球体と、からなることを特徴とする。
【００１２】
この考案によれば、紙製外側面ユニットを組み合わせ、互いに結合具で係止し、立体構造物を作成する過程で空間認識力や立体認識力を養うとともに、立体構造物の内部空間に紙製内部ユニットと弾性中心球体が設けられていることによって、完成した立体構造物は、転がしたり、上から押さえたり、地面に落として弾ませると、おもしろい動きをするので、知的好奇心を刺激され、動きの理由を考える過程で探究心をめばえさせることができる。また、全体として球体に近い立体構造物を作成できるので、ボールとして投げたり、弾ませたり、転がして遊ぶ際に、娯楽性を高めることができる。
【００１３】
また、この考案の立体構造物作成キットの中心球体は、中空球形状であって、開閉式で内部に空間を備えていることを特徴とする。
【００１４】
この考案によれば、この考案によれば、紙製外側面ユニットを組み合わせ、互いに結合具で係止し、立体構造物を作成する過程で空間認識力や立体認識力を養うとともに、立体構造物の内部空間に紙製内部ユニットと弾性中心球体が設けられていることによって、完成した立体構造物は、転がしたり、地面に弾ませたりして、転がり方や弾み方を観察すことができる。内部にある中心球体の中に、ビー玉や大きさや重量密度の違う充填物を入れた状態で、それぞれ、立体構造物を地面に弾ませると、内部のビー玉が中心球体内で動いたり、内部の充填物の内容によって、立体構造物全体の動きが変わるが、その違いを観察し、理由を探究することで知的好奇心が刺激される。また、中心部にある弾性中心球体の内部に、ガラス製品等、こわれやすいものを入れておけば、外側の立体構造物が外部からの衝撃や荷重を緩和するので、内部に収納した品を保護保管することもできる。
【００１５】
また、この考案の立体構造物は、複数の前記外側面ユニット同士を前記結合具で係止することにより、内部に空間を備えた立体構造物を形成するとともに、前記空間に前記結合具で互いに結合された４つの内部ユニットを備え、前記内部ユニットに囲まれた中心空間に前記中心球体を備えたことを特徴とする。
【００１６】
この考案によれば、立体構造物を、転がしたり、地面に弾ませたりして、転がり方や弾み方を観察し、内部にある中心球体の中に、ビー玉や大きさや重量密度の違う充填物を入れた状態で、それぞれ、立体構造物を地面に弾ませ観察することによって、内部のビー玉が中心球体内で動いたり、内部の充填物の内容によって、立体構造物全体の動きが変わることを確認することができる。その違いを目で見て観察し、理由を探究することで知的好奇心が刺激される。また、中心部にある弾性中心球体の内部に、ガラス製品等、こわれやすいものを入れておけば、外側の立体構造物が外部からの衝撃や荷重を緩和するので、内部に収納した品を保護保管することもできる。
【図面の簡単な説明】
【００１７】
【図１】この考案の実施の形態１にかかる立体構造物作成キット１００を構成する部材であって、外側四角面ユニット１、外側角部ユニット２、外側辺部ユニット３、結合具４、内部ユニット５及び中心球体６を示す平面図である。
【図２】（ａ）は、図１に示した立体構造物作成キット１００の外側四角面ユニット１の平面図である（２）は図２（ａ）に示した紙製ユニットと中心球体６からなる立体構造物及び立体構造物作成キット１００のＡ部拡大図である。
【図３】この考案の実施の形態１にかかる立体構造物作成キット１００を構成する部材である外側角部ユニット２の平面図である。
【図４】この考案の実施の形態１にかかる立体構造物作成キット１００を構成する部材である外側辺部ユニット３の平面図である。
【図５】この考案の実施の形態１にかかる立体構造物作成キット１００を構成する部材である結合具４の平面図である。
【図６】この考案の実施の形態１にかかる立体構造物作成キット１００を構成する部材である内部ユニット５の平面図である。
【図７】（ａ）は、図１に示した立体構造物作成キット１００を構成する部材である中心球体６の平面図であって、（ｂ）は、中心球体６の上蓋６１を開けた状態を示す斜視図である。
【図８】この考案の実施の形態１にかかる立体構造物作成キット１００の組立法方法を説明するための参考図である。
【図９】この考案の実施の形態１にかかる立体構造物作成キット１００で作成した立体構造物の斜視図である。
【図１０】（ａ）は、この考案の実施の形態１にかかる立体構造物作成キット１００を構成する部材である内部ユニット３の平面図であって、（ｂ）及び（ｃ）は内部ユニットの組立方法を説明するための参考図である。
【図１１】この考案の実施の形態１にかかる立体構造物作成キット１００の内部に入れるための内部ユニット５の組立方法を説明するための参考斜視図である。
【図１２】この考案の実施の形態１にかかる立体構造物作成キット１００の内部に入れるための内部ユニット５を組立てた状態での上面図である。
【図１３】この考案の実施の形態１にかかる立体構造物作成キット１００であって、上面の外側四角面ユニット１を外した状態を示す参考斜視図である。
【図１４】この考案の実施の形態２にかかる立体構造物作成キット２００で作成した立体構造物の斜視図である。
【図１５】図１４に示した立体構造物及び立体構造物作成キット２００を構成する部材である外側三角面ユニット７を示す平面図である。
【図１６】図１４に示した立体構造物及び立体構造物作成キット２００を構成する部材である外側三角面ユニット７のうち、上部用三角面ユニット７１の組立方法を示す参考図である。
【図１７】図１６（ｃ）に示した立体構造物及び立体構造物作成キット２００を構成する部材である外側三角面ユニット７のＣ部拡大図であって、上部用三角面ユニット７１の組立方法を示す参考図である。
【図１８】図１５（ｃ）に示した立体構造物及び立体構造物作成キット２００を構成する部材である外側三角面ユニット７の組立方法を説明する参考図である。
【図１９】図１４に示した立体構造物及び立体構造物作成キット２００を構成する部材である内部ユニット８の平面図である。
【図２０】図１４に示した立体構造物及び立体構造物作成キット２００を構成する部材である結合具４及び図１４に示した立体構造物及び立体構造物作成キット２００の内部に収納されている弾性球体６の平面図である。
【図２１】図１４に示した立体構造物及び立体構造物作成キット２００の内部に入っている内部ユニット８の組立方法を説明するための参考図である。
【図２２】図１４に示した立体構造物及び立体構造物作成キット２００の内部に入っている内部ユニット８を組立てた状態での斜視図である。
【図２３】図１４に示した立体構造物及び立体構造物作成キット２００のＢ−Ｂ断面図である。
【考案を実施するための形態】
【００１８】
以下、本考案の実施の形態について、図面を示しながら詳細に説明する。
（実施の形態１）
図１は、この考案の実施の形態１にかかる立体構造物作成キット１００を構成する部材であって、外側四角面ユニット１、外側角部ユニット２、外側辺部ユニット３、結合具４、内部ユニット５及び中心球体６を示す平面図である。図２は、（ａ）は、図１に示した紙製ユニットと中心球体６からなる立体構造物作成キット１００の外側四角面ユニット１の平面図である（２）は図２（ａ）に示した立体構造物作成キット１００のＡ部拡大図である。図３は、この考案の実施の形態１にかかる立体構造物作成キット１００を構成する部材である外側角部ユニット２の平面図である。図４は、この考案の実施の形態１にかかる立体構造物作成キット１００を構成する部材である外側辺部ユニット３の平面図である。図５は、この考案の実施の形態１にかかる立体構造物作成キット１００を構成する部材である結合具４の平面図である。図６は、この考案の実施の形態１にかかる立体構造物作成キット１００を構成する部材である内部ユニット５の平面図である。図７は、 （ａ）は、図１に示した立体構造物作成キット１００を構成する部材である弾性球体６の平面図、（ｂ）は、中心球体６の上蓋６１を開けた状態を示す斜視図である。
【００１９】
図１は、この考案の実施の形態１にかかる立体構造物作成キット１００を構成する部材である。本考案の立体構造物作成キット１００は、外側四角面ユニット１、外側角部ユニット２、外側辺部ユニット３、結合具４、内部ユニット５及び中心球体６からなる。外側四角面ユニット１、外側角部ユニット２、外側辺部ユニット３、結合具４及び内部ユニット５は、それぞれ、シート形状の厚紙または段ボール等の紙素材からなる。１枚の紙シートに、外側四角面ユニット１、外側角部ユニット２、外側辺部ユニット３、結合具４及び内部ユニット５の展開図を印刷し、線に沿って切り取り線を入れて、使用時に、適時、切り取り線から切り離して組み立てられるようにすると良い。中心球体６の素材は、紙ではなく、ゴムやシリコンその他の弾力性を有する素材からなる球形物である。また、内部に空間を有する中空形状であって、球体の上半分が上蓋となっていて、開閉可能となっている。
【００２０】
それぞれの部材に数について、サイコロ形状の立体構造物を作成する場合、外側四角面ユニット１は６枚、外側角部ユニット２は８枚、外側辺部ユニット３は８枚、結合具４は７２個、内部ユニット５は４枚必要である。立体構造物作成キット１００では、サイコロ形状のほか、四角形面を横に２つ並べて長方形にしたものを１つの面として長方体を作ることもでき、また、四角形面を４つ並べて４倍の大きさのサイコロ形状を作ることもできるが、その場合は、適時、使用するユニットの枚数を増やすと良い。
【００２１】
図２（ａ）に示すように、外側四角面ユニット１は、角を斜めに切り落とした略正方形面である四角形面１２と、上下の辺と左右の辺に設けられた辺部折りしろ１５、四角形面１２の４つの角に設けられた角部折りしろ１４を主に有する。四角形面１２のそれぞれの辺の中央近傍には、山折り線１３をまたぐように切り込みが設けられ、結合具挿入用切り込み１１となっている。辺部折りしろ１５と四角形面１２との境界は山折り線１３となっており、角部折りしろ１４と四角形面１２との境界も同様に山折り線１３となっている。
【００２２】
図２（ｂ）に示すように、結合具挿入用切り込み１１は、四角形面１２のそれぞれの辺の中央近傍に、山折り線１３を横切るように設けられた切り込みである。結合具挿入用切り込み１１は、外側四角面ユニット１の紙製シートに入れられた切り込みであり、切り込みの深さは紙製シートを貫通している。結合具挿入用切り込み１１は、シート裏面まで貫通しない表面だけの切り込みにしても良い。表面だけの切り込みの場合、結合具４を、強めに結合具挿入用切り込み１１に押し付けるように刺せば簡単に突き破れる。
【００２３】
結合具挿入用気切り込み１１の形状は、図２（ａ）のＡ部拡大図に示すように、四角形面１２の中心に近い側を下側として見ると、下半分である挿入部１１ｂ部分はＵ字形状となっており、上半分は直線形状となっている。結合具挿入用切り込み１１は、どれも、ユニットの中心側がＵ字形状となっており、対抗する側半分は直線の切り込みとなっている。結合具挿入用切り込み１１の下半分のＵ字形状部分の寸法は、後述の結合具４の挟持部４１の幅と略同じ寸法であり、結合具挿入用切り込み１１の上半分であるガイド線１１ａの寸法は、結合具４の挟持部４１の長さより短い寸法である。
【００２４】
図３に示すように、外側角部ユニット２は、略正六角形の面である六角形面２３と、それぞれの辺に設けられた辺部折りしろ２２を主に有する。六角形面２３と辺部折りしろ２２との境界は山折り線２４となっている。六角形面２３のそれぞれの辺の中央近傍には山折り線２４をまたぐように結合具挿入用切り込み２１が設けられている。結合具挿入用切り込み２１は、紙製シートからなる外側角部ユニット２に入れられた切り込みであって、切り込みの深さは、紙製シートを貫通している。シート裏面までは達さず表面だけに入れられた切り込みとしておき、結合具４の挟持部４１を刺して貫通させ使用するようにしても良い。結合具挿入用切り込み２１の形状は、外側四角面ユニット１に設けられた結合具挿入用切り込み１１の形状と同様であり、ここでは説明を省略する。
【００２５】
外側角部ユニット２の寸法について、六角形面２３の１つの辺の長さは、外側四角面ユニット１の四角形面１２の角部の寸法と同じ長さとなっている。すなわち、四角形面１２は、角部が斜めに切り落とされた形状となっているが、この斜めに切り落とされた角部の寸法と六角形面２３の１つの辺の寸法が同じとなっている。辺部折りしろ２２は、六角形面２３のそれぞれの辺と１辺を共有し、該共有する辺から対向する辺までの長さは、六角形面２３の対角線の長さより短い寸法となっている。
【００２６】
図４に示すように、外側辺部ユニット３は、略長方形の面である長方形面３５と、長辺に設けられた辺部折りしろ３２及び短辺に設けられた角部折りしろ３１を主に有する。長方形面３５と辺部折りしろ３２及び長方形面３５と角部折りしろ３１のそれぞれの境界は山折り線３４となっている。長方形面２３のそれぞれの辺の中央近傍には山折り線３４をまたぐように結合具挿入用切り込み３３が設けられている。結合具挿入用切り込み３３は、紙製シートからなる外側辺部ユニット３に入れられた切り込みであって、切り込みの深さは、紙製シートを貫通している。シート裏面までは達さず表面だけに入れられた切り込みとしておき、結合具４の挟持部４１を刺して貫通させ使用するようにしても良い。結合具挿入用切り込み３３の形状は、外側四角面ユニット１に設けられた結合具挿入用切り込み１１の形状と同様であり、ここでは説明を省略する。
【００２７】
外側辺部ユニット２の寸法について、長方形面３５の１つの辺の寸法は、外側四角面ユニット１の四角形面１２の辺の寸法と同じとなっている。辺部折りしろ３２は、長方形面３５の長辺と１つの辺を共有し、該共有する辺から対向する辺までの長さは、長方形面３５の短手方向の幅より短い寸法となっている。
【００２８】
図５に示すように、結合具４は、左右対称であって、上部に背面４２を有し、下部にスリット４３が設けられていて、スリット４３の両側に挟持部４１が設けられている。挟持部４１は、上端は背面４２につながり、下方は先端に行くほど細く、すこし尖ったような形状の先端となっている。挟持部４の素材は、外側四角面ユニット１、外側角部ユニット２及び外側辺部ユニット３と同じ厚手の紙素材からなる。１枚の紙シートに、それぞれの部材の輪郭を印刷し、切り離して作成しても良い。また、結合具４は、紙素材のほか、プラスチックや樹脂等の素材で形成しても良い。
【００２９】
図６に示すように、内部ユニット５は、１枚のシート状の紙からなり、中央に丸い穴である開口５８を備え、開口５８を囲むように４つの面が設けられており、それぞれ、右上面５７、右下面５４、左下面５５及び左上面５６となっている。また、右上面５７と右下面５４との境界、右下面５４と左下面５５との境界及び左下面５５と左上面５６との境界は、それぞれ、谷折線５１となっている。左上面５６と右上面５７との境界は切り離されており切欠き部５３となっている。
【００３０】
右上面５７、右下面５４、左下面５５及び左上面５６の形状は、開口５８に接する面を下として見た場合に、上側の辺が緩やかな弧を描き、扇のような形状となっている。また、右上面５７、右下面５４、左下面５５及び左上面５６は全て同じ形状、同じ大きさとなっている。
【００３１】
右上面５７について、開口５８と接する側と対向する弧を描いた辺には、２か所、切り込み（スリット）が設けられ、結合具嵌めこみ部５２となっている。結合具嵌めこみ部５２の切り込みは、結合具４のスリット４３を嵌めやすくするためのものである。
【００３２】
図７（ａ）に示すように、中心球体６は、半球を２つ重ね合わせて球体形状を構成している。中心球体６は、ゴムやシリコンなど、弾性を有する素材からなる。図７（ｂ）に示すように、中心球体６は、内側に空間を有する中空形状となっており、上側の半球は上蓋６１となっていて、下側の半球は容器部６２となっている。容器部６２は、お碗のような形状であって内側に空間を形成している。上側の半球である上蓋６１も、下側の半球である容器部６２と同一の形状であり、お碗を逆さにした形状となっている。
【００３３】
次に、立体構造物作成キット１００を用いて立体構造物を作成する手順を説明する。
【００３４】
図８は、この考案の実施の形態１にかかる立体構造物作成キット１００の組立法方法を説明するための参考図である。図９は、この考案の実施の形態１にかかる立体構造物作成キット１００の斜視図である。
【００３５】
立体構造物作成キット１００を用いて立体構造物を作成する手順について、最初に、立体構造物の外側手順について説明する。
【００３６】
図８に示すように、外側四角面ユニット１の山折り線１３を山折りして、角部折りしろ１４と辺部折りしろ１５を後ろ側に折り込む。外側辺部ユニット２の山折り線２４も同様に、山折りして角部折りしろ２２を後ろ側に折り込む。さらに、外側角部ユニット３の山折り線３４も、山折して角部折りしろ３１と辺部折りしろ３２を後ろに折り込んでおく。
【００３７】
それから、外側四角面ユニット１の四角形面１２の辺と、外側辺部ユニット３の長方形面３５の辺とが、ぴったり合わさるように並べる。すると、外側四角面ユニット１の結合具挿入用切り込み１１と、外側辺部ユニット３の結束部挿入用切り込み３３とが、一直線上に並ぶ。結合具４の２つの挟持部４１を、結合具挿入用切り込み１１及び３３に、それぞれ刺さるように結合具４を差し込んで挿入すると、スリット４３の根元までしっかり挿入することができる。結合具挿入用切込み１１及び３３は、切り込みの形状がＵ字になっているので挟持部４１を差し込むと、Ｕ字部分が内部に押し込まれ、挟持部４１を程よく締めつける大きさの開口を形成する。したがって、外側四角面ユニット１と外側辺部ユニット３とを、結合具４が、しっかりと係止する。
【００３８】
同様に、外側四角面ユニット１の四角形面１２の角部に、外側角部ユニット２の１つの辺を、ぴったり合わさるように並べる。すると、外側四角面ユニット１の結合具挿入用切り込み１１と、外側角部ユニット２の結束部挿入用切り込み２１とが、一直線上に並ぶ。結合具４の２つの挟持部４１を、結合具挿入用切り込み２１に、刺さるように結合具４を差し込み挿入すると、スリット４３の根元までしっかり挿入することができる。結合具挿入用切込み２１は、切り込みの形状がＵ字になっているので挟持部４１を差し込むことによって、Ｕ字部分が内部に押し込まれ、挟持部４１を程よく締めつける大きさの開口を形成する。したがって、外側四角面ユニット１と外側角部ユニット２とを、結合具４が、しっかりと係止する。
【００３９】
上述の手順を繰り返して、外側四角面ユニット１のそれぞれの辺と角に外側角部ユニット２と外側辺部ユニット３を結合具４で係止していき、サイコロ形状(六面体)を作っていく。六面体の５つの面まで出来上がったら、立体構造物の内側に、内部ユニット５と中心球体６とを組み合わせたものを収納したうえで、６つ目の面である外側四角面ユニット１を取り付け、図９に示すように、立体構造物を完成させる。
【００４０】
次に、立体構造物の中に入れる内部ユニット５の組立方法について説明する。
【００４１】
図１０は、（ａ）は、この考案の実施の形態１にかかる立体構造物作成キット１００を構成する部材である内部ユニット３の平面図であって、（ｂ）及び（ｃ）は内部ユニットの組立方法を説明するための参考図である。図１１は、この考案の実施の形態１にかかる立体構造物作成キット１００の内部に入れるための内部ユニット５の組立方法を説明するための参考斜視図である。図１２は、この考案の実施の形態１にかかる立体構造物作成キット１００の内部に入れるための内部ユニット５を組立てた状態での上面図である。図１３は、この考案の実施の形態１にかかる立体構造物作成キット１００で作成した立体構造物であって、上面の四角面ユニット１を外した状態を示す参考斜視図である。
【００４２】
内部ユニット５は、図１０（ａ）に示すように、１枚のシート状の紙からなり、中央に丸い穴である開口５８を備え、開口５８を囲むように４つの面が設けられており、それぞれ、右上面５７、右下面５４、左下面５５及び左上面５６となっている。立体構造物の内部には、この内部ユニット５を４枚と、中心球体６とを組み合わせた内部構造を収納する。
【００４３】
まず、図１０（ｂ）に示すように、内部ユニット５の右上面５７を持ち上げて、右上面５７と右下面５４との境界にある谷折線５１を谷折りする。右上面５７と右下面５４とで形成する角度が垂直な角度になるまで折る。それから、右下面５４と左下面５５の境界にある谷折線５１及び左下面と左上面との境界にある谷折線５１を、それぞれ垂直な角度になるまで谷折りする。すると、左上面５６と右上面５７とが、ぴったりと重なる。左上面５６と右上面５７とは、同一の大きさ形状なので、それぞれの面に設けられた結合具嵌めこみ部５２の位置もぴったり重なることになる。
【００４４】
図１０（ｃ）に示すように、内部ユニット５の右上面５７と左上面５６をぴったり重ねて、それぞれの結合具嵌めこみ分５２重ね、そこに結合具４を嵌め込んで係止していくと、立体的な構造物が出来上がる。この内部ユニット５で形成した構造物を４つ作成する。
【００４５】
それから、４つの内部ユニット５のそれぞれの開口５８が中心点に集まるように配置したしたうえで、中心点に中心球体６を入れると、図１１のような立体構造物が出来上がる。４つの内部ユニット５を配置して形成した立体構造物の中心は、ちょうど、中心球体６がすっぽりと入る大きさの空間が形成されている。このようにして、立体構造物を形成して、あとは、内部ユニット５の結合具嵌めこみ分５２全てに、結合具４を嵌め込んで、内部ユニット５同士を強固に結束していく。
【００４６】
中心球体６の四方を取り囲むように４つの内部ユニット５を配置したものを上から見ると、図１２のようになっている。内部ユニット５の右上面５７と左上面５６を重ねたものが十字になっており、その奥に中心球体６が見える。中心球体６は、内部ユニット５によって、しっかりと支えられており。中心球体６の直径は、内部ユニット５の開口４８で囲まれる空間の直径と略同じとなっている。
【００４７】
図１３に示すように、中心球体６と内部ユニット５とを組み合わせて形成した立体構造物を、外側四角面ユニット１、外側角部ユニット２及び外側辺部ユニット３とで形成した立体構造物の内部に収納する。外側四角面ユニット１、外側角部ユニット２及び外側辺部ユニット３とで形成した立体構造物の内部空間は、中心球体６と内部ユニット５とを組み合わせて形成した立体構造物の大きさを略同じであり、ぴったりと収まるようになっている。中心球体６と内部ユニット５とで形成した内部構造を収納した後は、上面に外側四角面ユニット１を被せて、結合具４でしっかりと係止して立体構造物を完成させる。
【００４８】
立体構造物作成キット１００で作成した立体構造物は、中心に弾力性のある中心球体６が入っていることにより、転がしたときの転がり方、地面に弾ませたときの動きに変化がある。したがって、知的好奇心を刺激し、動きが変化する理由を考えることによって、考える力を伸ばすことができる。立体構造物作成キット１００は、組み立て段階では、手先を使った訓練や、立体認識力、空間認識力を養うことができ、完成したあとは、内部に入れる中心球体を抜いた状態と入れた状態とで転がり方の違いを観察し理由を考えることによって考える力を伸ばすことができる優れた知育玩具である。
【００４９】
また、中心球体６は、中空形状であって、上蓋６１が開閉可能となっているので、中に、様々な素材を充填させたり、または、小さなビー玉等、様々な物を中に入れてみて、完成した立体構造物の転がり方、転がる速さや弾み方が、どのように変わるか観察して楽しんでも良い。転がり方や転がる速さが変わるので、すごろく等のゲームで使うサイコロとして、立体構造物作成キット１００で形成した立体構造物を使うと、予測しなかった面が出て、ゲームを一層盛り上げることができる。
【００５０】
さらに、立体構造物作成キット１００で形成した立体構造物は、ガラス製品や精密機器等を保護するための箱として使用しても良い。中心球体６は、弾力性のある素材でできているので、外側から受けた衝撃を吸収することができる。そのため、中心球体６の中に、ガラス製品や精密機器、その他宝物等を入れておけば、外から衝撃や圧力が加わっても、中心球体６や、その外側の内部ユニットや外側のユニット材が衝撃を吸収し、中に収納されものを保護することができるので、運搬や保管用に最適である。立体構造物作成キット１００は、未使用時は、パーツごとにバラしておけば、収納場所を取らず、軽量なので、保管も運搬も容易であるため、必要なときだけ組み立てて、利用することができる。また、厚紙や段ボール等、紙の中でも強度の高い素材を用いているので、繰り返しの使用にも耐えられ、コストパフォーマンスも良い。
【００５１】
（実施の形態２）
次に、図１４から図２３を示しながら、実施の形態２の立体構造物作成キット２００について説明する。
【００５２】
図１４は、 この考案の実施の形態２にかかる立体構造物作成キット２００の斜視図である。図１５は、図１４に示した立体構造物作成キット２００を構成する部材である外側三角面ユニット７を示す平面図である。図１６は、 図１４に示した立体構造物作成キット２００を構成する部材である外側三角面ユニット７のうち、上部用三角面ユニット７１の組立方法を示す参考図である。図１７は、図１６（ｃ）に示した立体構造物作成キット２００を構成する部材である外側三角面ユニット７のＣ部拡大図であって、上部用三角面ユニット７１の組立方法を示す参考図である。図１８は、図１５（ｃ）に示した立体構造物作成キット２００を構成する部材である外側三角面ユニット７の組立方法を説明する参考図である。
【００５３】
実施の形態２の立体構造物作成キット２００は、球体に近い形状の立体構造物を作成可能なキットである。ここでは、直径６１センチメートルの略球体を形成可能な立体構造物作成キット２００について説明する。（なお、本考案は、ここで挙げた寸法の立体構造物に限定されることはなく、他の寸法の立体構造物を作成できる立体構造物作成キットも実施可能である。他の寸法の立体構造物を形成する場合は、適時、ここであげたそれぞれのパーツの寸法を、互いの比率を変えないように適時拡大縮小して作成したパーツを用いると良い。）
【００５４】
図１４に示すように、立体構造物作成キット２００で作成した立体構造物は、三角形の面を２４０個備えた２４０面体であって、全体として球形状に近い形状である。２４０の面は、それぞれ、略同一形状の三角形面のように見えるが、具体的には、すこしずつ辺の比率が相違する四種類の三角形６０個、合計２４０個の三角形面からなる２４０面体であり、４種類の外側三角面ユニットを用いて作成されている。
【００５５】
図１５に示すように、外側三角面ユニット７は、四種類の外側三角面ユニットからなる。上部用三角面ユニット７１、左側用三角面ユニット７２、中央用三角面ユニット７３及び右側用三角面ユニット７４である。各ユニットの具体的寸法を以下に示す。
【００５６】
立体構造物作成キット２００で直径６１センチメートルの略球体を作成する場合の、四種類の三角形（三角面７１ｈ、三角面７２ｈ、三角面７３ｈ及び三角面７４ｈ）の具体的寸法について、上部用三角面ユニット７１の三角面７１ｈの辺の寸法は、頂点７１ａから頂点７１ｂまでの寸法が９．０３６センチメートル、頂点７１ｂから頂点７１ｃまでの寸法が１０．５０３センチメートル、頂点７１ｃから頂点７１ａまでの寸法が９．０３６センチメートルである。（左側用三角面ユニット７１の三角面７１ｈは二等辺三角形である。）
【００５７】
左側用三角面ユニット７２の三角面７２ｈの辺の寸法は、頂点７２ａから頂点７２ｂまでの寸法が１０．５０３センチメートル、頂点７２ｂから頂点７２ｃまでの寸法が１０．８８６センチメートル、頂点７２ｃから頂点７２ａまでの寸法が１０．４４６センチメートルである。（左側用三角面ユニット７１の三角面７１ｈは不等辺三角形である。）
【００５８】
中央用三角面ユニット７３の三角面７３ｈの辺の寸法は、頂点７３ａから頂点７３ｂまでの寸法、頂点７３ｂから頂点７３ｃまでの寸法及び頂点７３ｃから頂点７３ａまでの寸法、いずれも１０．５０３センチメートルである。（中央用三角面ユニット７３の三角面７３ｈは正三角形である。）
【００５９】
右側用三角面ユニット７４の三角面７４ｈの辺の寸法は、頂点７４ａから頂点７４ｂまでの寸法が１０．４４６センチメートル、頂点７４ｂから頂点７４ｃまでの寸法が１０．８８６センチメートル、頂点７４ｃから頂点７４ａまでの寸法が１０．５０３センチメートルである。（右側用三角面ユニット７４の三角面７４ｈは、不等辺三角形である。）
【００６０】
上述した寸法は、直径６１センチメートルの球体表面上に、２４０面体のすべての頂点が接するよう計算して算出した寸法であって、上述した寸法で作成した外側三角面ユニット７を用いれば、直径６１センチメートルの球体の形状に近い立体構造物を作成することができる。違う大きさの球体を作成したい場合は、上記の寸法について、互いの比率を変えないよう適時拡大縮小して、外側三角面ユニット７を作成すると良い。
【００６１】
外側三角面ユニット７を構成するユニットの１つである上部用三角面ユニット７１は、三角形の面である三角面ｈと、三角面ｈのそれぞれの辺から設けられた辺部折りしろ７１ｅ、辺部折りしろ７１ｅの横側に設けられた角部折りしろ７１ｄを主に有する。三角面ｈは、前述の寸法の二等辺三角形である。辺部折りしろ７１ｅは、三角面ｈの３つの辺から設けられており、三角面ｈと１辺を共有している。該共有辺は山折線７１ｉとなっている。辺部折りしろ７１ｅは、底辺を山折り線７１ｉとした横長の台形形状である。辺部折りしろの上辺は、山折り線７１ｉより少し短い。辺部折りしろ７１ｅの短辺のうち１辺の先には角部折りしろ７１ｄが設けられており、角部折りしろ７１ｄと辺部折りしろ７１ｅとの間は、山折線７１ｊとなっている。角部折りしろ７１ｄには凵字形の凹部が設けられており、辺部折りしろ７１ｅには、切り込みが２つ設けられ、該２つの切り込みに挟まれた部分が折込部７１ｇとなっている。折込部７１ｇの幅（２つの切り込み間の寸法）は、角部折りしろ７１ｄに設けられた凵字形の凹部の幅と略同じである。
【００６２】
上部用三角面ユニット７１の三角面ｈのそれぞれの辺中央には切り込み部７１ｆが設けられている。切り込み部７１ｆは、三角面ｈの辺中央を横切るように設けられた切り込みである。切り込み部７１ｆは、上部用三角面ユニット７１の紙製シートに入れられた切り込みである。切り込みの深さは紙製シートを貫通している。シート裏面まで貫通しない表面だけに切り込みを設けておいて、結合具４を刺せば簡単に突き破れるようにしておいてもよい。切り込み部７１ｆの形状は、実施の形態１の結合具挿入用切り込み１１と同一の形状であり、上半分が直線形状、下半分がＵ字形状となっている、ひとつづきの切り込みである。切り込み部７１ｆの下半分のＵ字形状部分の寸法は、結合具４の挟持部４１の幅と略同じ寸法である。
【００６３】
左側用三角面ユニット７２、中央用三角面ユニット７３及び右側用三角面ユニット７４の三角面７４ｈについては、それぞれの三角面７２ｈ、７３ｈ、７４ｈの辺の寸法が上述のとおり、すこし異なるのみで、その他の構成は上部用三角面ユニット７１と同様であるため、説明を省略する。
【００６４】
次に、図１６を示しながら、上部用三角面ユニット７１の組立方法について説明する。まず最初に、図１６（ａ）のように、上部用三角面ユニット７１を平らな床面等、作業しやすい平面の上に載置する。
【００６５】
それから、図１６（ｂ）のように、三角面７１ｈのそれぞれの辺に設けられた辺部折りしろ７１ｅを、つまんで少し持ち上げ、それぞれ、山折線７１ｉのところを山折りして、後ろ側に折る。
【００６６】
次に、それぞれの辺部折りしろ７１ｅに設けられた角部折りしろ７１ｄをつまんで、山折線７１ｊのところを山折りして、後ろ側に折る。すると、角部折りしろ７１ｄは、隣の辺部折りしろ７１ｅの後ろに、ぴったりと重ねることができる。ここで、角部折りしろ７１ｄは、隣接する辺部折りしろ７１ｅの前ではなく後ろに重ねるようにする。それから、図１６（ｃ）のように、辺部折りしろ７１ｅに設けられた折込部７１ｇを後ろに折り込んで辺部折しろ７１ｅと角部折りしろ７１ｄを係止する。
【００６７】
辺部折しろ７１ｅに設けられた折込部７１ｇについて、角部折りしろ７１ｄを隣接する辺部折りしろ７１ｅの後ろにぴったりと重ねると、折込部７１ｇは、図１７（ａ）に示すように、角部折りしろ７１ｄに設けられた凵字形の凹部の位置と、ぴったりと合うようになっている。したがって、図１７（ｂ）に示すように、折込部７１ｇを後ろに折りこむと、角部折りしろ７１ｄに設けられた凵字形の凹部の上に重なり、互いに係止することができる。
【００６８】
左側用三角面ユニット７２、中央用三角面ユニット７３及び右側用三角面ユニット７４についても、同様の組立方法で組み立てる。すなわち、辺部折りしろ７２ｅ、７３ｅ及び７４ｅを、それぞれ山折線７２ｉ、７３ｉ及び７４ｉのところで山折りして後ろ側に折り曲げ、さらに、山折線７２ｊ、７３ｊ及び７４ｊのところで山折して角部折りしろ７２ｄ、７３ｄ、７４ｄを辺部折りしろ７２ｅ、７３ｅ及び７４ｅの後ろに重ね、折込部７２ｇ、７３ｇ及び７４ｇを、角部折りしろ７２ｄ、７３ｄ及び７４ｄに設けられた凵字形の凹部の上に重ねるように折って係止する。
【００６９】
上部用三角面ユニット７１、左側用三角面ユニット７２、中央用三角面ユニット７３及び右側用三角面ユニット７４を、それぞれ組み立てたら、平らな床面に、図１８（ａ）のように、三角面７１ｈ、７２ｈ、７３ｈ及び７４ｈが表に来るように、並べる。一番上には上部用三角面ユニット７１を置き、その下に逆さにした中央用三角面ユニット７３を置き、中央用三角面ユニット７３の右側に右側用三角面ユニット７４を、左側に左側用三角面ユニット７２を載置する。
【００７０】
次に、図１８（ｂ）に示すように、上部用三角面ユニット７１、右側用三角面ユニット７４及び左側用三角面ユニット７２を、それぞれ矢印の方向に、中央用三角面ユニット７３に近付けるように動かし、辺と辺をぴったりと合わせる。すなわち、上部用三角面ユニット７１の頂点７１ｂと、中央用三角面ユニット７３の頂点７３ｂと、右側用三角面ユニット７４の頂点７４ａが１点に集まるように、また、右側用三角面ユニット７４の頂点７４ｃが、中央用三角面ユニット７３の頂点７３ｃ及び左側用三角面ユニット７２の頂点７２ｂと１点に集まるように、中央用三角面ユニット７３頂点７３ａが、上部用三角面ユニット７１の頂点７１ｃと左側用三角面ユニット７２の頂点７２ａと１点に集まるように、配置する。
【００７１】
上部用三角面ユニット７１の頂点７１ｃから７１ｂまでの長さは、１０．５０３センチメートルであり、中央用三角面ユニット７３の頂点７３ａから頂点７３ｂまでの長さと同じであり、中央用三角面ユニット７３の頂点７３ｂから頂点７３ｃの長さも、１０．５０３センチメートルであり、右側用三角面ユニット７４の頂点７４ａから頂点７４ｃまでの長さと同じである。中央用三角面ユニット７３の頂点７３ｃから頂点７３ａまでの長さは、左側用三角面ユニット７２の頂点７２ａから頂点７２ｂまでの長さと同じであるため、上述のように並べると、中央用三角面ユニット７３、上部用三角面ユニット７１、右側用三角面ユニット７４及び左側用三角面ユニット７２を、ぴったりと合わせることができる。
【００７２】
上述のように並べたら、今度は、結合具４を、切り込み部７１ｆ、７２ｆ、７３ｆ及び７４ｆに差していき、互いのユニット同士を強固に係止していく。結合具４で係止した外側三角面ユニット７を、このような手順で６０個、２４０面分、作っていく。
【００７３】
結合具４で係止した外側三角面ユニット７が６０個できたら、今後は、外側三角面ユニット７同士を、並べて、さらに結合具４で係止していく。その際に、右側三角面ユニット７４と左側三角面ユニット７４の底辺は、隣接する右側三角面ユニット７４と左側三角面ユニット７４の底辺と合わせるようにし、上部用三角面ユニット７１と左側用三角面ユニット７４とで形成する辺は、隣接する上部用三角面ユニット７１と左側用三角面ユニット７４とで形成する辺と合わせるように、上部用三角面ユニット７１と右側用三角面ユニット７２とで形成する辺は、隣接する上部用三角面ユニット７１と右側用三角面ユニット７２とで形成する辺と合わせるようにする（すなわち、二辺の合計が同じ長さのもの同士を合わせるようにする）。
【００７４】
上述の作業を繰り返して、外側三角面ユニット７を３０個つないだものを２つ完成させる。外側三角面ユニット７を３０個つないだものは、ちょうど、半球形状すなわちお碗のような形状となる。ここまで出来上がったら、次に、内部に入れる内部構造を作成する。
【００７５】
実施の形態２の立体構造物作成キット２００で作成する立体構造物の内部に入れる構造の組立方法を説明する。
【００７６】
図１９は、図１４に示した立体構造物作成キット２００を構成する部材である内部ユニット８の平面図である。図２０は、図１４に示した立体構造物作成キット２００を構成する部材である結合具４及び図１４に示した立体構造物作成キット２００の内部に収納されている弾性球体６の平面図である。図２１は、図１４に示した立体構造物作成キット２００の内部に入っている内部ユニット８の組立方法を説明するための参考図である。図２２は、図１４に示した立体構造物作成キット２００の内部に入っている内部ユニット８を組立てた状態での斜視図である。図２３は、図１４に示した立体構造物作成キット２００のＢ−Ｂ断面図である。
【００７７】
図１９に示すように、内部ユニット８は、１枚のシート状の厚手の紙またはダンボール素材からなり、中央に丸い穴である開口８８を備えている。開口８８を囲むように４つの面が設けられており、それぞれ、右上面８７、右下面８４、左下面８５及び左上面８６となっている。開口８８の直径は、実施の形態１の内部ユニット５の開口５８よりも内部ユニット全体に対しての比率が大きく、内部ユニット８全体幅の略半分となっている。また、右上面８７と右下面８４との境界、右下面８４と左下面８５との境界及び左下面８５と左上面８６との境界は、それぞれ、谷折線８１となっている。左上面８６と右上面８７との境界は切り離されており切欠き部８３となっている。
【００７８】
右上面８７、右下面８４、左下面８５及び左上面８６の形状は、開口８８に接する面を下として見た場合に、上側の辺が緩やかな弧を描き、下側の辺は上側の辺よりも短い弧を描いている。また、右上面８７、右下面８４、左下面８５及び左上面８６は全て同じ形状、同じ大きさとなっている。
【００７９】
右上面８７について、開口８８と接する側と対向する弧を描いた辺には、２か所、切り込み（スリット）が設けられ、結束部嵌めこみ部８２となっている。結束部嵌めこみ部８２の切り込みは、結合具４のスリット４３を嵌めやすくするためのものである。立体構造物の内部には、この内部ユニット８を４枚と、中心球体６を１個組み合わせた内部構造を収納する。
【００８０】
図２０に示すように、結合具４は、背面４２と２つの挟持部４１を有し、２つの挟持部４１の間はスリット４３となっている。実施の形態２の結合具４は、実施の形態１の結合具４と同一の構成であるため、ここでは説明を省略する。
【００８１】
中心球体９は、弾力性を有する素材からなる球体物である。実施の形態１の中心球体６は、中空形状であって、上蓋が開閉可能であったが、実施の形態２の中心球体９は、中空形状ではなく、上蓋もついていない、弾性素材でできた球である。中心球体９は、弾性の低いものから弾性の高いものまで、様々な素材で数種類作って、用途に応じて交換して利用するようにしても良い。
【００８２】
次に、内部ユニット８の組立方法を説明する。まず、図２１（ａ）に示すように、内部ユニット８を、切り欠き部８３が上方に来るような向きで、平らな床面に載置する。それから、図２１（ｂ）に示すように、内部ユニット８の右上面８７をすこし持ち上げて、右上面８７と右下面８４との境界にある谷折線８１を谷折りする。右上面８７と右下面８４とで形成する角度が垂直な角度になるまで折る。それから、右下面８４と左下面８５の境界にある谷折線８１及び左下面と左上面との境界にある谷折線８１を、それぞれ垂直な角度になるまで谷折りする。すると、左上面８６と右上面８７とが、ぴったりと重なる。左上面８６と右上面８７とは、同一の大きさ形状なので、それぞれの面に設けられた結合具嵌めこみ部８２の位置もぴったり重なることになる。
【００８３】
図１０（ｃ）に示すように、内部ユニット８の右上面８７と左上面８６をぴったり重ねて、それぞれの結合具嵌めこみ分８２重ね、そこに結合具４を嵌め込んで係止していくと、立体的な構造物が出来上がる。この内部ユニット８で形成した構造物を４つ作成する。
【００８４】
それから、４つの内部ユニット８のそれぞれの開口８８が中心点に集まるように配置したしたうえで、中心点に中心球体９を入れる。すると、図２２のような立体構造物が出来上がる。４つの内部ユニット８を配置して形成した立体構造物の中心は、ちょうど、中心球体９がすっぽりと入る大きさの空間が形成される。このようにして、立体構造物を形成して、あとは、内部ユニット８の結合具嵌めこみ分８２全てに、結合具４を嵌め込んで、内部ユニット８同士を強固に結束していく。
【００８５】
内部ユニット８と中心球体とで作成した立体構造物が出来上がったら、さきほど作成した、外側三角面ユニット７をつないで半球形状にしたものの中に内部ユニット８と中心球体とで作成した立体構造物を収納し、もう１つの半球形状にした外側三角面ユニット７をつないだものを上から被せて、外側三角面ユニット７で作成した半球同士を、結合具４で係止していき、球状物を完成させる。
【００８６】
立体構造物作成キット２００で作成した立体構造物は、中心に弾力性のある中心球体９が入っていることにより、転がしたときの転がり方、地面に弾ませたときの動きに変化がある。実施の形態１の中心球体５よりも、寸法の大きな中心球体９が中に入っているため、弾み方にも、より大きな変化がある。したがって、知的好奇心を刺激し、動きが変化する理由を考えることによって、考える力を伸ばすことができる。立体構造物作成キット２００は、組み立て段階では、手先を使った訓練や、立体認識力、空間認識力を養うことができ、完成したあとは、内部に入れる中心球体を抜いた状態と入れた状態とで転がり方の違いを観察し理由を考えることによって考える力を伸ばすことができる優れた知育玩具である。
【００８７】
また、実施の形態２の立体構造物作成キット２００で作成した立体構造物は、球体物であるので、サッカーやバレーボール等の球技の際に、ボールとして利用することができる。
通常、サッカーやボール遊びは、屋外で行うことが多く、また、旅先やキャンプに持っていって利用したいという要望も高いものである。一般的なサッカーボールやバレーボールは、そのままでは、かさばるので運搬の際に不便であるが、本実施の形態２の立体構造物作成キット２００を持参すれば、運搬は軽量かつコンパクトに行うことができ、旅先や、ボールを使いたい場所に着いてから組み立て、ボールを使い終わったら、また、バラして、持ち帰ることができるので、荷物がかさばらず大変便利である。
中心球体９は、弾性素材からなるものを容易しても良いが、空気を入れて膨らませる小さめもビーチボールを用いても良い。
【００８８】
本考案の立体構造物作成キットについて外側面ユニットの形状と三角形、四角形（長方形及び正方形）、六角形の場合で説明したが、外側面ユニットの面の形状は、それら形状に限定されず、多角形や楕円や円形のパーツを用いても本考案の主旨を逸脱しない。
【００８９】
本考案の立体構造物作成キットについて、紙以外の素材、薄いプラスチックシートその他のシート素材を用いたものであっても本考案の主旨を逸脱しない。
【００９０】
以上本考案の立体構造物作成キットについて詳細に説明したが、本考案は、上記実施形態に限定されるものではなく、本考案の要旨を逸脱しない範囲において、各種の改良や変更を行ってもよい。
【符号の説明】
【００９１】
１００，２００，３００ 立体構造物作成キット
１ 外側四角面ユニット
１１  結合具挿入用切り込み
１１ａ  ガイド線
１１ｂ  挿入部
１２  四角形面
１３  山折り線
１４  角部折りしろ
１５  辺部折りしろ
２ 外側角部ユニット
２１  結合具挿入用切り込み
２２  角部折りしろ
２３  六角形面
２４  山折り線
３ 外側辺部ユニット
３１  角部折りしろ
３２  辺部折りしろ
３３  結合具挿入用切り込み
３４  山折線
３５  長方形面
４  結合具
４１  挟持部
４２  背面
４３  スリット
５  内部ユニット
５１  谷折線
５２  結合具嵌めこみ部
５３  切り欠き部
５４  右下面
５５  左下面
５６  左上面
５７  右上面
５８  開口
６  中心球体
６１  上蓋
６２  容器部
７  三角面ユニット
７１  上部用三角面ユニット
７１  上部用三角面ユニット
７１ａ、７１ｂ、７１ｃ  頂点
７１ｄ  角部折りしろ
７１ｅ  辺部折りしろ
７１ｆ  切り込み部
７１ｇ  折込部
７１ｈ  三角面
７１ｉ  山折線
７１ｊ  山折線
７２  左側用三角面ユニット
７２ａ、７２ｂ、７２ｃ  頂点
７２ｄ  角部折りしろ
７２ｅ  辺部折りしろ
７２ｆ  切り込み部
７２ｇ  折込部
７２ｈ  三角面
７２ｉ  山折線
７２ｊ  山折線
７３  中央用三角面ユニット
７３ａ、７３ｂ、７３ｃ  頂点
７３ｄ  角部折りしろ
７３ｅ  辺部折りしろ
７３ｆ  切り込み部
７３ｇ  折込部
７３h  三角面
７３ｉ  山折線
７３ｊ  山折線
７４  右側用三角面ユニット
７４ａ、７４ｂ、７４ｃ  頂点
７４ｄ  角部折りしろ
７４ｅ  辺部折りしろ
７４ｆ  切り込み部
７４ｇ  折込部
７４ｈ  三角面
７４ｉ  山折線
７４ｊ  山折線
８  内部ユニット
８１  谷折線
８２  結束部嵌めこみ部
８３  切り欠き部
８４  右下面
８５  左下面
８６  左上面
８７  右上面
８８  開口
９  中心球体
【図１】
0003217705.tif 000003
【図２】
0003217705.tif 000004
【図３】
0003217705.tif 000005
【図４】
0003217705.tif 000006
【図５】
0003217705.tif 000007
【図６】
0003217705.tif 000008
【図７】
0003217705.tif 000009
【図８】
0003217705.tif 000010
【図９】
0003217705.tif 000011
【図１０】
0003217705.tif 000012
【図１１】
0003217705.tif 000013
【図１２】
0003217705.tif 000014
【図１３】
0003217705.tif 000015
【図１４】
0003217705.tif 000016
【図１５】
0003217705.tif 000017
【図１６】
0003217705.tif 000018
【図１７】
0003217705.tif 000019
【図１８】
0003217705.tif 000020
【図１９】
0003217705.tif 000021
【図２０】
0003217705.tif 000022
【図２１】
0003217705.tif 000023
【図２２】
0003217705.tif 000024
【図２３】
0003217705.tif 000025
【手続補正書】
【提出日】平成30年6月28日(2018.6.28)
【手続補正１】
【補正対象書類名】実用新案登録請求の範囲
【補正対象項目名】全文
【補正方法】変更
【補正の内容】
【実用新案登録請求の範囲】
【請求項１】
組み合わせることにより立体構造物を形成する立体構造物作成キットであって、多角形面と前記多角形面のそれぞれの辺に設けられた折りしろと前記それぞれの辺の中央近傍に設けられた切込みとからなるシート状の外側面ユニットと、前記切り込みに挿入する挟持部を２本有する結合具と、前記結合具を嵌め込むスリットを有し、中心に円形の開口を有し、前記開口を囲んで面積を同じくする４つの面を備えた内部ユニットと、前記開口と略同じ直径であって弾性素材からなる中心球体と、を有すること特徴とする立体構造物作成キット。
【請求項２】
前記外側面ユニットは、角を落とした略正四角形の面と前記略正四角形のそれぞれの辺に設けられた折りしろからなる外側四角面ユニットと、略正六角形の面と前記略正六角形のそれぞれの辺に設けられた折りしろからなる外側角部ユニットと、略長方形の面と前記略長方形のそれぞれの辺に設けられた折りしろからなる外側辺部ユニットと、からなることを特徴とする請求項１に記載の立体構造物作成キット。
【請求項３】
三角形面と、前記三角形の面のそれぞれの辺に設けられた折りしろからなり、前記折りしろを裏側に折込んだ状態で前記三角形の辺と隣接する三角形の辺とを隙間なく係止すると全体として球体に近い形状を形成する多数の外側三角面ユニットと、前記外側三角面ユニット同士を係止する結合具と、前記外側三角面で囲まれた内部に収納され、互いに垂直な角度で設けられた３つの面を備えた内部ユニットと、前記内部ユニットに囲まれた中心部に収納される中心球体と、からなることを特徴とする立体構造物作成キット。
【請求項４】
前記中心球体は、中空球形状であって、開閉式で内部に空間を備えていることを特徴とする請求項１から請求項３のいずれか１項に記載の立体構造物作成キット。
【請求項５】
請求項１又は請求項２に記載の立体構造物作成キットを使用した立体構造物であって、複数の前記外側面ユニット同士を前記結合具で係止することにより、内部に空間を備えた立体構造物を形成するとともに、前記空間に前記結合具で互いに結合された４つの内部ユニットを備え、前記内部ユニットに囲まれた中心空間に前記中心球体を備えたことを特徴とする立体構造物。